(57)【要約】【課題】高精度な鍛造品を、低い加圧力のプレスで成形可能な閉塞鍛造装置を提供する。【解決手段】上型ダイセットが下降しワークWを上型ダイ10及び下型ダイ110で閉塞する、さらに下降しクサビ4が固定ブロック左方105と固定カム左方107の当接部に侵入する。固定カム左方107は右に移動し上型ダイ10下型ダイ110を挟み保持する。同時に固定ブロック左方105及びカム保持板103は図面では左に移動しカム保持板103に固定された固定カム右方106も左に移動し上型ダイ10下型ダイ110を挟み保持する図−1、図−2。さらに上型ダイセットが下降すると、加圧ピン8で加圧されたワークは上下型ダイのキャビティ部に充満し成形が完了する図−2。この装置に於いては、プレス加圧力は従来の閉塞鍛造金型装置に比べ低い加圧力のプレスで可能となるものである。【選択図】  図−1
2011025292.tif 000002
【特許請求の範囲】
【請求項１】
ワークを閉塞する上型ダイ、下降して下型の固定カムを移動させるクサビ、固定カムを固定するカム固定ブロック、加圧ピンで構成される上型ダイセットと、ワークを閉塞する下型ダイ、移動して上下ダイを挟み込む固定カムで構成される下型ダイセットで構成され、上下型ダイでワーク閉塞後、上下型ダイを固定カムにより固定し、遅れて下降する加圧ピンで閉塞鍛造を行う事を特徴とした閉塞鍛造金型装置。
【発明の詳細な説明】
【技術分野】
【０００１】
本発明は主として熱間閉塞鍛造を行う際に使用する閉塞鍛造金型装置に関する。
【背景技術】
【０００２】
従来の閉塞鍛造金型装置は、型締圧力、成形圧力共にプレスの加圧力を利用している。例えば特開2002-346678号公報に記載の装置が公知の装置である。
その閉塞鍛造金型装置は、上型の下降と共に、バネを介して上下型を加圧型締め後、上下型に固定されたパンチが遅れて加圧動作することにより、閉塞鍛造が完了する。
【発明の概要】
【０００３】
その閉塞鍛造金型装置は、型締圧力、成形圧力共にプレスの加圧力を利用するため、大きな加圧力のプレスが必要である。さらに加圧のためのバネ、カム等複雑な装置となる。
【０００４】
課題を解決するため請求項１に記載の閉塞鍛造金型装置は、ワークを閉塞する上型ダイ10、下降して下型の固定カムを移動させるクサビ4、カム固定ブロック5、加圧ピン8で構成される上型ダイセットと、ワークを閉塞する下型ダイ110、移動して上下ダイを挟み込む固定カム106と107で構成される下型ダイセットで構成された閉塞鍛造金型装置である。
【０００５】
本装置においては、上下型ダイ10と110を加圧する必要は無く、固定カム106と107により固定保持する。その際に必要なプレス加圧力は、クサビ４が固定カム左方107と固定ブロック左方105の間に侵入する力のみである。即ちバネs1とバネs2を圧縮する力である。その力はクサビの先端角度αによって決定する。バネs1とバネs2は成形完了後に固定カム106と107を引き戻し上下型ダイを開放する力があれば良く、プレスの型締圧力に較べ，はるかに小さな力である。クサビ4進入後、上下型ダイ10と110を固定する固定カム106と107はクサビ4及びカム固定ブロック５により固定される。少し遅れて加圧ピン8が下降し成形を完了する。
【発明の効果】
【０００６】
本発明は上記記載のように、上下型ダイに閉塞されたワークを上型ダイセットに設置された加圧ピンで加圧し成形する装置であるが、上下型ダイはクサビによりスライドする固定カムと固定カムの背面のカム固定ブロック及びクサビにより固定される機構から構成されることにより、低い加圧力のプレスでの閉塞鍛造が可能となるものである。
【図面の簡単な説明】
【０００７】
【図−１】成形前の閉塞鍛造金型装置の正面の断面図である。
【図−２】成形完了後の閉塞鍛造金型装置の正面の断面図である。
【発明を実施するための形態】
【実施例】
【０００８】
本発明による閉塞鍛造の実施形態を、図−１ないし図−2に示す図面を参照に説明する。
【０００９】
金型装置はプレス上部のラム（図省略）に上型ベースプレート1を介して固定され上下
動する上型ダイセットと、下部ベースプレート101を介してボルスター（図省略）に固
定された下型ダイセットにより構成されている。  
【００１０】
上型ダイセットには、上型中間保持板3が上型スペーサー2を介して上部ベースプレート1に固定されている。上型中間保持板にはクサビ4、カム固定ブロック5、が固定されている。中央部には上型ダイ10が上型ダイ保持板9と共に上型中間保持板3に保持されている。上型ダイ10はバネ（省略）を伴った上型ダイ保持ボルト（省略）によって、又上型ダイ保持板9は位置決めピン（省略）で上型中間保持板3に保持されている。バネs3はバネ保持ピン7（実際は4本）を内側に抱し上型中間保持板3を貫通し上部ベースプレート1の下端面に達するように上型ダイ保持板9に保持されている。上型ダイ10の位置決めのために上型ガイドピン6（実際は4本）が上型中間保持板3を貫通し上型ダイ10に固定されている。加圧ピン8は上部ベースプレート1に固定されている。
【００１１】
下型ダイセットには、中央部に下型ダイ保持ブロック102を介して下型ダイ110が下型ベースプレート101に固定されている。カム保持板103はプレス左右方向にスライドする様に下型ベースプレート101上に設置されている。カム保持板103には固定カム右方106と固定ブロック左方105が固定されている。スライド可能な固定カム左方107はカム保持板103上に設置されている。
【００１２】
プレスが上死点で停止している状態で、下型ダイ110のキャビティ部にワークWを収めた後プレスを作動する。上型ダイセットが下降し、最初に上型ダイ10が下型ダイ110  に当接する。上型ダイセットがさらに下降し、クサビ4が固定ブロック左方105と固定カム左方107の当接部に侵入する。固定ブロック左方105及びカム保持板103は左方に移動しカム保持板103に固定された固定カム右方106も左方に移動し上型ダイ10下型ダイ110を挟み保持する。同時に固定カム左方107は右方に移動し上型ダイ10下型ダイ110を挟み保持する。
【００１３】
固定カムにより上下型ダイが強固保持された後、上型ダイセットがさらに下降し加圧ピン8はワークWを加圧し成形を完了する。
【００１４】
成形完了後上型ダイセットが上昇するに伴い、固定カム右方106はリターンピンrp2を介してバネs2により、固定カム左方10７はリターンピンrp1を介してバネs１により、元の位置に引き戻される。
【符号の説明】
【００１５】
１上型ベースプレート    101  下型ベースプレート      s1   バネ  2ヶ    
2上型スペーサー        102  下型ダイ保持ブロック    s2   バネ  2ヶ  
3上型中間保持板        103  カム保持板              s3   バネ  4ヶ
4クサビ                104  固定ブロック右方        W    ワーク      
5カム固定ブロック      105  固定ブロック左方            
6上型ガイドピン        106  固定カム右方                
7 バネ保持ピン          107  固定カム左方             
8加圧ピン              110  下型ダイ                  
9上型ダイ保持板        rp1  リターンピン  2ヶ
10上型ダイ      
rp2  リターンピン  2ヶ
【先行技術文献】
【特許文献】
【００１６】
【特許文献１】特開2002-346678号
【図−１】
2011025292.tif 000003
【図−２】
2011025292.tif 000004